(57)【要約】  【課題】  インキのｐＨによって使用が制限されることなく、長期的に安定してインキ中の気体を化学的に除去できる筆記具用水性インキ組成物であり、実用性が広く、良好な筆記性能を得ることができる筆記具用水性インキ組成物及びそれを内蔵した筆記具を提供する。  【解決手段】  少なくとも着色剤と、水溶性有機溶剤と、水と、酸化防止剤を包接するサイクロデキストリンとを含んでなる筆記具用水性インキ組成物。前記酸化防止剤がインキ組成物中０．０１〜５重量％含有される。前記筆記具用水性インキ組成物をインキ収容管に直接充填し、インキ消費に伴って追従するインキ逆流防止体をインキ後端に密接配置してなる筆記具。  【選択図】  なし【特許請求の範囲】
【請求項１】
少なくとも着色剤と、水溶性有機溶剤と、水と、酸化防止剤を包接するサイクロデキストリンとを含んでなる筆記具用水性インキ組成物。
【請求項２】
前記酸化防止剤がインキ組成物中０．０１〜５重量％含有される請求項１記載の筆記具用水性インキ組成物。
【請求項３】
前記酸化防止剤がアスコルビン酸或いはその誘導体、エリソルビン酸或いはその誘導体、カテキン類、α−リポ酸、α−トコフェロール、ジブチルヒドロキシトルエン、ブチルヒドロキシアニソール、ホスファイト系酸化防止剤、フェノール系酸化防止剤、チオエーテル系酸化防止剤から選ばれるいずれかである請求項１又は２に記載の筆記具用水性インキ組成物。
【請求項４】
前記インキ組成物のｐＨが２〜７の範囲にある請求項１乃至３のいずれかに記載の筆記具用水性インキ組成物。
【請求項５】
前記請求項１乃至４のいずれかに記載の筆記具用水性インキ組成物をインキ収容管に直接充填し、インキ消費に伴って追従するインキ逆流防止体をインキ後端に密接配置してなる筆記具。
【発明の詳細な説明】
【技術分野】
【０００１】
本発明は筆記具用水性インキ組成物、及び、前記筆記具用水性インキ組成物とインキ消費に伴って追従するインキ逆流防止体を充填した筆記具に関する。
【背景技術】
【０００２】
従来、水性インキのうち剪断減粘性を有するインキとして、高分子多糖類等の剪断減粘性付与剤を含む水性ボールペン用インキ組成物が開示されている（例えば、特許文献１参照）。
【０００３】
この種のインキは、剪断応力が加わらない静置時には高粘度であり、機構内において安定的に保持されており、筆記時にあっては高速回転するボールによる高剪断力によってボール近傍のインキが低粘度化し、その結果、インキはボールとボール収容部の間隙から吐出して紙面に転写される。前記紙面に転写されたインキは剪断力から解放されるため再び高粘度状態となり、従来の水性インキ組成物の欠点である筆跡の滲みを発生させない。
更に、前記した剪断減粘性に依存してインキ漏れが発生することなく、しかも、インキ流量を調節する流量調節部材（ペン芯）を要しないので、簡易な構造の筆記具が得られる。
【０００４】
前記した従来の剪断減粘性を示す水性インキを用いた筆記具は構造が簡易であり、前記流量調節部材を用いた筆記具のようにインキの消費に伴って内部に空気が入り込まないことから内部圧力の変化が少なく、インキのボタ落ちを生じない利点も有する反面、インキの調製及び充填に際し、特別な配慮が必要である。これは、インキ後端面には前記インキ中の溶剤が蒸発することを防止したり、或いは筆記先端部が上向き状態（正立状態）においてインキの逆流を防止するインキの消費に伴って追従するインキ逆流防止体（液栓）が充填されるためであり、インキは外部の空気と遮断された気密空間に存在するため、インキ中に気体が混入していると、経時により気体が集まって気泡が発生し、筆記時のインキ出に悪影響を与えると共に、筆記先端部に気泡が存在すると筆記不能になる虞があるからである。
【０００５】
これとは別に、前記インキ逆流防止体が充填されるタイプの筆記具として、筆記先端部近傍に弁機構を設けることによって、剪断減粘性を示さない水性インキ組成物を充填することもできるが、前記と同様に気泡が存在すると筆記性能に悪影響を与える。
【０００６】
前記した問題を解決するためには、機械的にインキ中の気体を取り除く脱泡処理が主に行われているが、この方法のみでは充分な脱泡ができ難く、インキ中に気体が残ることがある。又、顔料、金属粉、酸化チタン等の溶剤に不溶の着色剤を用いる場合、遠心脱泡等の処理を行うと着色剤がインキ収容容器中に偏在するといった不具合を生じる。
従って、インキ中の気体を化学的に除去する方法が考えられ、例えば、アスコルビン酸やその誘導体、α−トコフェロール、カテキン類等を添加する試みが開示されている（例えば、特許文献２乃至４参照）。
【特許文献１】特開平４−２１４７８２号公報
【特許文献２】特公平７−１１３１０１号公報
【特許文献３】特開平１０−３３０６７２号公報
【特許文献４】特開平１０−２９８４８３号公報
【発明の開示】
【発明が解決しようとする課題】
【０００７】
しかしながら、前記インキ中の気体を化学的に除去する化合物のうち、アスコルビン酸やその誘導体は水への溶解性を有し、初期的には酸素吸収能を有するものの、不安定な化合物であるため、長期間の経時により酸素吸収能が低下することがある。また、α−トコフェロールは水への溶解性が低く経時によって分離し易いため、気体除去能力が長期的に発現させ難いと共に、着色剤として顔料を用いた場合には、該顔料の凝集を生じることがある。また、カテキン類はインキのｐＨが塩基性である場合には高い酸素吸収能を有するものの、酸性域で使用した場合には所望の酸素吸収能が得られ難いことがある。
本発明は、インキのｐＨによって使用が制限されることなく、長期的に安定してインキ中の気体を化学的に除去できる筆記具用水性インキ組成物であり、実用性が広く、良好な筆記性能を得ることができる筆記具用水性インキ組成物及びそれを内蔵した筆記具を提供することにある。
【課題を解決するための手段】
【０００８】
本発明の筆記具用水性インキ組成物は、少なくとも着色剤と、水溶性有機溶剤と、水と、酸化防止剤を包接するサイクロデキストリンとを含んでなることを要件とする。
更に、前記酸化防止剤がインキ組成物中０．０１〜５重量％含有されること、前記酸化防止剤がアスコルビン酸或いはその誘導体、エリソルビン酸或いはその誘導体、カテキン類、α−リポ酸、α−トコフェロール、ジブチルヒドロキシトルエン、ブチルヒドロキシアニソール、ホスファイト系酸化防止剤、フェノール系酸化防止剤、チオエーテル系酸化防止剤から選ばれるいずれかであること、前記インキ組成物のｐＨが２〜７の範囲にあることを要件とする。
更には、前記筆記具用水性インキ組成物をインキ収容管に直接充填し、インキ消費に伴って追従するインキ逆流防止体をインキ後端に密接配置してなる筆記具を要件とする。
【発明の効果】
【０００９】
本発明の筆記具用水性インキ組成物は、酸化防止剤を包接するサイクロデキストリンを配合することにより、インキのｐＨによって左右されることなく、長期的に気泡除去機能を発現するものとなる。そのため、前記インキを用いた筆記具は、経時による気泡の発生を抑制できるので、筆記先端部へのインキ導出が円滑に行われ、安定した筆記性能を持続することができ、継続して良好な筆跡が得られる。
【発明を実施するための最良の形態】
【００１０】
前記酸化防止剤を包接するサイクロデキストリンは、サイクロデキストリンに酸化防止剤として使用される種々の化合物が担持されたものであり、インキのｐＨや水媒体への溶解性（酸化防止剤自体の溶解性）に左右されることなくインキ中で安定して存在すると共に、酸化防止剤による気泡除去効果を長期間にわたって発現可能な、溶解安定性及び効果持続性に優れたものである。
また、サイクロデキストリンで酸化防止剤を包接することで、従来の酸化防止剤に較べて耐熱性が高くなるため、経時のみならず加温による気泡除去効果の早期喪失を防止することもできる。
【００１１】
前記サイクロデキストリンは、包接する酸化防止剤がインキ組成中で０．０１〜５重量％、好ましくは０．０５〜４重量％となるように添加することができる。
０．０１重量％以下では所期の気泡発生抑止効果を得ることは困難であり、又、５重量％を越えて配合しても更なる気泡抑制効果は得られないので、これ以上の添加を要しない。
【００１２】
前記酸化防止剤としては、従来筆記具インキに適用される汎用の酸化防止剤を使用することが可能であり、例えば、エピカテキンやエピガロカテキンやエピカテキンガレートやエピガロカテキンガレート等のカテキン類、Ｎ−ビニル−２−ピロリドンのオリゴマー、合成ポリフェノール或いはその誘導体、亜硫酸塩、スルホキシル酸塩、亜ジチオン酸塩、チオ硫酸塩、コウジ酸、コウジ酸塩、ヒドロキシルアミン、二酸化チオ尿素、ホルムアミジンスルフィン酸、ホスホン酸塩、ホスフィン酸塩、オキシム誘導体、α−リポ酸、α−グルコシルルチン、グルタチン、フェルラ酸、フェルラ酸塩、クロロゲン酸類、エラグ酸或いはその誘導体、セサモール或いはその誘導体、アントシアニン群化合物、ロスマリン酸、オレウロペイン、ヒドロキシチロソール、コリン或いはその誘導体、芳香族アミン、アスコルビン酸或いはアスコルビン酸誘導体、シリコーン消泡剤、フィチン酸、ジチオリン酸或いはその誘導体、ジチオリン酸塩、チオ硫酸、チオ尿素、ホウ素ハイドライド、有機ホウ素化合物、ヒドラジン或いはその誘導体、α−トコフェロール、エリソルビン酸或いはその誘導体、フラバンジェノール、ＢＨＴ（ジブチルヒドロキシトルエン）、ＢＨＡ（ブチルヒドロキシアニソール）、アセチルシステイン、ｎ−ブチルアルデヒドとアニリンの反応物或いはその誘導体、トリフェニルホスファイトやジフェニルホスファイトやジステアリルペンタエリスリトールジホスファイトや４，４−ブチリデン−ビス（３−メチル−６−ｔ−ブチルフェニル−ジトリデシル）ホスファイト等のホスファイト系酸化防止剤、ヒドロキノンやカテコールやピロガロールや没食子酸エステルや２，２−メチレン−ビス（４−メチル−６−ｔ−ブチルフェノール）や２，６−ジブチル−ｐ−クレゾール等のフェノール系酸化防止剤、テトラキス［メチレン−３−（ドデシルチオ）プロピオネート］メタン等のチオエーテル系酸化防止剤、γ−オリザノール、クルクミン、システアミン、システアミン塩、チオグリセロール、アルキルアミン、ブチル化ヒドロキシトルエン、オイゲノール等が例示できる。
特に、水媒体に難溶又は不溶な酸化防止剤をサイクロデキストリンに包接することで、水媒体中で酸素吸収能を発現できることから、アスコルビン酸或いはその誘導体、エリソルビン酸或いはその誘導体、カテキン類、α−リポ酸、α−トコフェロール、ＢＨＴ（ジブチルヒドロキシトルエン）、ＢＨＡ（ブチルヒドロキシアニソール）、ホスファイト系酸化防止剤、フェノール系酸化防止剤、チオエーテル系酸化防止剤等を用いた際に効果的である。
【００１３】
前記着色剤としては、水性系媒体に溶解もしくは分散可能な染料及び顔料がすべて使用可能であり、その具体例を以下に例示する。
前記染料としては、酸性染料、塩基性染料、直接染料等を使用することができる。
酸性染料としては、
ニューコクシン（Ｃ．Ｉ．１６２５５）、
タートラジン（Ｃ．Ｉ．１９１４０）、
アシッドブルーブラック１０Ｂ（Ｃ．Ｉ．２０４７０）、
ギニアグリーン（Ｃ．Ｉ．４２０８５）、
ブリリアントブルーＦＣＦ（Ｃ．Ｉ．４２０９０）、
アシッドバイオレット６Ｂ（Ｃ．Ｉ．４２６４０）、
ソルブルブルー（Ｃ．Ｉ．４２７５５）、
ナフタレングリーン（Ｃ．Ｉ．４４０２５）、
エオシン（Ｃ．Ｉ．４５３８０）、
フロキシン（Ｃ．Ｉ．４５４１０）、
エリスロシン（Ｃ．Ｉ．４５４３０）、
ニグロシン（Ｃ．Ｉ．５０４２０）、
アシッドフラビン（Ｃ．Ｉ．５６２０５）等が用いられる。
【００１４】
塩基性染料としては、
クリソイジン（Ｃ．Ｉ．１１２７０）、
メチルバイオレットＦＮ（Ｃ．Ｉ．４２５３５）、
クリスタルバイオレット（Ｃ．Ｉ．４２５５５）、
マラカイトグリーン（Ｃ．Ｉ．４２０００）、
ビクトリアブルーＦＢ（Ｃ．Ｉ．４４０４５）、
ローダミンＢ（Ｃ．Ｉ．４５１７０）、
アクリジンオレンジＮＳ（Ｃ．Ｉ．４６００５）、
メチレンブルーＢ（Ｃ．Ｉ．５２０１５）等が用いられる。
【００１５】
直接染料としては、
コンゴーレッド（Ｃ．Ｉ．２２１２０）、
ダイレクトスカイブルー５Ｂ（Ｃ．Ｉ．２４４００）、
バイオレットＢＢ（Ｃ．Ｉ．２７９０５）、
ダイレクトディープブラックＥＸ（Ｃ．Ｉ．３０２３５）、
カヤラスブラックＧコンク（Ｃ．Ｉ．３５２２５）、
ダイレクトファストブラックＧ（Ｃ．Ｉ．３５２５５）、
フタロシアニンブルー（Ｃ．Ｉ．７４１８０）等が用いられる。
【００１６】
前記顔料としては、カーボンブラック、群青などの無機顔料や銅フタロシアニンブルー、ベンジジンイエロー等の有機顔料の他、予め界面活性剤や樹脂を用いて微細に安定的に水媒体中に分散された水分散顔料製品等が用いられ、例えば、Ｃ．Ｉ．Ｐｉｇｍｅｎｔ
Ｂｌｕｅ  １５：３Ｂ〔品名：Ｓａｎｄｙｅ  Ｓｕｐｅｒ  Ｂｌｕｅ  ＧＬＬ、顔料分２４％、山陽色素株式会社製〕、
Ｃ．Ｉ．  Ｐｉｇｍｅｎｔ  Ｒｅｄ  １４６〔品名：Ｓａｎｄｙｅ  Ｓｕｐｅｒ  Ｐｉｎｋ  ＦＢＬ、顔料分２１．５％、山陽色素株式会社製〕、
Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業株式会社製〕、
Ｃ．Ｉ．Ｐｉｇｍｅｎｔ  Ｒｅｄ  ２２０／１６６〔品名：ＴＣ  Ｒｅｄ  ＦＧ、顔料分約３５％、大日精化工業株式会社製〕等を挙げることができる。
なお、前記顔料を分散する樹脂としては、ポリアミド樹脂、ポリウレタン樹脂、ポリエステル樹脂、エポキシ樹脂、メラミン樹脂、フェノール樹脂、シリコーン樹脂、ポリビニルアルコール、ポリビニルピロリドン、ポリ酢酸ビニル、ポリ塩化ビニル、ポリ塩化ビニリデン、ポリスチレン、アクリル酸樹脂、マレイン酸樹脂、アラビアゴム、セルロース、デキストラン、ガゼイン等、およびそれらの誘導体、前記した樹脂の共重合体等が挙げられる。
蛍光顔料としては、各種蛍光性染料を樹脂マトリックス中に固溶体化した合成樹脂微細粒子状の蛍光顔料が使用できる。
また、二酸化チタン等の白色顔料、アルミニウム等の金属粉、天然雲母、合成雲母、アルミナ、ガラス片から選ばれる芯物質の表面を二酸化チタン等の金属酸化物で被覆したパール顔料、コレステリック液晶型光輝性顔料等を使用することもできる。
更に、可逆熱変色性組成物を内包したマイクロカプセル顔料や、前記可逆熱変色性組成物と共に、染料や顔料を内包したマイクロカプセル顔料等の熱変色性顔料を使用することもできる。
前記顔料は一種又は二種以上を適宜混合して使用することができ、インキ組成物中１乃至２５重量％、好ましくは２乃至１５重量％の範囲で用いられる。
【００１７】
また、前記水溶性有機溶剤としては、水に相溶性のある従来汎用の溶剤が用いられ、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ヘキシレングリコール、１，３−ブタンジオール、ネオプレングリコール、ポリエチレングリコール、プロピレングリコール、ブチレングリコール、エチレングリコールモノメチルエーテル、エチレングリコールモノエチルエーテル、ジエチレングリコールモノメチルエーテル、ジエチレングリコールモノエチルエーテル、エチレングリコールモノメチルエーテルアセテート、プロピレングリコールモノメチルエーテル、プロピレングリコールモノエチルエーテル、２−ピロリドン、Ｎ−メチル−２−ピロリドン等が挙げられる。
尚、前記水溶性有機溶剤は一種又は二種以上を併用することもでき、インキ組成物中２〜６０重量％、好ましくは５〜３５重量％の範囲で用いられる。
【００１８】
その他、必要に応じてｐＨ調整剤、防腐剤或いは防黴剤を添加することができる。
前記ｐＨ調整剤としては、アンモニア、炭酸ナトリウム、リン酸ナトリウム、水酸化ナトリウム、酢酸ソーダ等の無機塩類、トリエタノールアミンやジエタノールアミン等の水溶性のアミン化合物等の有機塩基性化合物、乳酸、クエン酸等が挙げられる。
前記防腐剤或いは防黴剤としては、石炭酸、１，２−ベンズイソチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等が挙げられる。
更には、溶剤の浸透性を向上させるフッ素系界面活性剤やノニオン、アニオン、カチオン系界面活性剤、ジメチルポリシロキサン等の消泡剤を添加することもできる。
【００１９】
また、耐乾燥性を妨げない範疇でアルキッド樹脂、アクリル樹脂、スチレンマレイン酸共重合物、セルローズ誘導体、ポリビニルピロリドン、ポリビニルアルコール、デキストリン等の水溶性樹脂を１種又は２種以上添加したり、尿素、ノニオン系界面活性剤、ソルビット、マンニット、ショ糖、ぶどう糖、還元デンプン加水分解物、ピロリン酸ナトリウム等の湿潤剤を一種又は二種以上添加することもできる。
【００２０】
前記水性インキ組成物には、剪断減粘性付与剤を添加することもできる。
前記剪断減粘性付与剤としては、水に可溶乃至分散性の物質が効果的であり、キサンタンガム、ウェランガム、構成単糖がグルコースとガラクトースの有機酸修飾ヘテロ多糖体であるサクシノグリカン（平均分子量約１００乃至８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンヒマシ油、ポリオキシエチレンラノリン・ラノリンアルコール・ミツロウ誘導体、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類等を例示でき、単独或いは混合して使用することができる。
更に、Ｎ−アルキル−２−ピロリドンとアニオン系界面活性剤の混合物、ポリビニルアルコールとアクリル系樹脂の混合物を用いることもできる。
前記剪断減粘性付与剤は、インキ組成物中０．１〜２０重量％の範囲で用いることができる。
【００２１】
その他、必要に応じて防錆剤、潤滑剤等を添加することができる。
前記防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、サポニン、ジアルキルチオ尿素等が挙げられる。
前記潤滑剤としては、金属石鹸、ポリアルキレングリコール脂肪酸エステル、エチレンオキサイド付加型カチオン活性剤、リン酸エステル系活性剤、チオカルバミン酸塩、ジメチルジチオカルバミン酸塩等が挙げられる。
尚、特に好適に用いられる潤滑剤としては、特公平１−１３５０８号公報に記載のリン酸エステル系界面活性剤が挙げられる。
【００２２】
前記水性インキ組成物は、従来筆記具インキとして使用される酸性〜アルカリ性領域（具体的にはｐＨが２〜１３）で適用できる。特に、従来の酸化防止剤はアルカリ性領域でのみ効果を発現し、酸性域で長期間安定した酸素除去効果を発現できるものが少なかったことから、ｐＨが２〜７の酸性〜中性領域に調整したインキがより有効なものとなる。
【００２３】
本発明の筆記具用水性インキ組成物は、繊維チップ、フェルトチップ、プラスチックチップ、ボールペンチップを筆記先端部に装着したマーキングペンやボールペンに充填される。
【００２４】
ボールペン自体の構造、形状は特に限定されるものではなく、従来より汎用のものが適用でき、例えば、軸筒内にインキ組成物を充填したインキ収容管を有し、該インキ収容管はボールを先端部に装着したチップに連通しており、更にインキの端面には逆流防止用の液栓が密接しているボールペンが例示できる。
【００２５】
前記ボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、或いは、金属製のパイプや金属材料の切削加工により形成したチップに抱持するボールをバネ体により前方に付勢させたもの等を適用できる。
また、前記ボールは、超硬合金、ステンレス鋼、ルビー、セラミック等が適用できる。
【００２６】
前記水性インキ組成物を収容するインキ収容管は、例えば、ポリエチレン、ポリプロピレン、ポリエチレンテレフタレート等の熱可塑性樹脂からなる成形体が、インキの低蒸発性、生産性の面で好適に用いられる。また、前記インキ収容管として透明、着色透明、或いは半透明の成形体を用いることにより、インキ色やインキ残量等を確認できる。
前記インキ収容管にはチップを直接連結する他、接続部材を介して前記インキ収容管とチップを連結してもよい。
尚、前記インキ収容管はレフィルの形態として、前記レフィルを軸筒内に収容するものでもよいし、先端部にチップを装着した軸筒自体をインキ収容体として、前記軸筒内に直接インキを充填してもよい。
【００２７】
前記インキ収容管に収容したインキ組成物の後端には、インキ逆流防止体が充填される。
前記インキ逆流防止体としては、液状または固体のいずれを用いることもでき、前記液状のインキ逆流防止体としては、ポリブテン、シリコーン油等の不揮発性媒体が挙げられ、所望により前記媒体中にシリカ、珪酸アルミニウム等を添加することもできる。
また、固体のインキ逆流防止体としては樹脂成形物が挙げられる。
更に、前記液状及び固体のインキ逆流防止体を併用することもできる。
【００２８】
本発明の筆記具用水性インキ組成物は、水媒体中に、染料又は顔料（顔料分散体）、水溶性有機溶剤、酸化防止剤を包接するサイクロデキストリン、必要により剪断減粘性付与剤や各種添加剤を投入し、必要により加温して攪拌し、溶解及び分散することにより調製され、ボールペン、サインペン、フェルトペン、筆ペン等の形態の筆記具に充填して使用される。
【実施例】
【００２９】
以下に実施例を説明するが、本発明はこれらの実施例に限定されるものではない。
表１に実施例及び比較例のボールペン用水性インキの組成を示す。尚、表中の組成の数値は重量部を示す。
【００３０】
【表１】
2008111051.tif 000002
【００３１】
表中の原料の内容について注番号に沿って説明する。
（１）シンロイヒ（株）製、商品名：ＳＦ５０１５イエロー、蛍光黄色顔料水分散体、固形分５０％
（２）Ｂａｓｉｃ  Ｒｅｄ  １４、アイゼン保土ヶ谷（株）製、商品名：ＳＷＴ  ＲＥＤ−４
（３）３０％カーボンブラックノニオン系活性剤分散体、山陽色素（株）製、商品名：ＳＡＮＤＹＥ  ＳＵＰＥＲ  ＢＬＡＣＫ  Ｃ
（４）茶カテキン包接デキストリン、塩水港精糖（株）製、商品名：サンフードＣＤ（茶カテキン９％）
（５）α−リポ酸包接デキストリン、（株）東洋発酵製、商品名：α−リポ酸ＣＤ−２０（α−リポ酸２０％）
（６）茶カテキン水溶性製剤、太陽化学（株）製、商品名：サンフラボン（茶カテキン１０％）
（７）リン酸エステル系界面活性剤、第一工業製薬（株）製、商品名：プライサーフＡＬ
【００３２】
インキの調製
前記実施例及び比較例の配合量で各原料を混合し、２０℃で３時間撹拌溶解することにより筆記具水性インキ組成物を得た。
【００３３】
インキ逆流防止体の調製
基油としてポリブテン９０部中に、増粘剤としてキシレンで膨潤させた脂肪酸アマイド１０部を添加した後、３本ロールにて混練してインキ逆流防止体を得た。
【００３４】
ボールペンの作製
直径０．５ｍｍの超硬合金製ボールを抱持するステンレススチール製チップがポリプロピレン製パイプの一端に嵌着されたボールペンレフィル内に、前記各インキ組成物を１ｇ充填し、その後端に前記インキ逆流防止体を配設し、遠心脱泡した後、前記ボールペンレフィルを軸筒に組み込み、試料ボールペンＡを作製した。
また、前記試料ボールペンと同様の構成のボールペンレフィルのインキ内にマイクロシリンジを用いて１μＬの空気を注入し試料ボールペンＢを作製した。
【００３５】
気泡除去試験
前記試料ボールペンＡについて、２０℃で７日間、その後５０℃で３０日間放置した際のボールペンレフィル内の気泡の発生の有無を目視にて確認した。その後、気泡が発生していなかったものに対して、マイクロシリンジを用いて１μＬの空気をインキ中に注入し、更に２０℃で３０日間放置した際のボールペンレフィル内の気泡の有無を目視により観察した。
試料ボールペンＢについて、２０℃で３０日間放置した際のボールペンレフィル内の気泡の有無を目視により観察した。
【００３６】
筆記試験
２０℃で７日間、その後５０℃で３０日間放置した後の試料ボールペンＡに対して、筆記試験（ＪＩＳ  Ｐ３２０１筆記用紙Ａに手書き筆記）による筆跡の状態を目視により観察した。
その結果を以下に示す。
【００３７】
【表２】
2008111051.tif 000003
【００３８】
尚、前記表中の判定基準は以下の通り。
気泡除去試験
○：ボールペンレフィル内に気泡が見られない。
×：気泡が残っている、又は発生している。
筆記試験
○：良好な筆跡が得られる。
×：筆跡にカスレや線飛びが見られる。